(57)【特許請求の範囲】
【請求項１】
床面に載置される下部構造体と、
天板部を備えた上部構造体と、
前記下部構造体に前記上部構造体を着脱可能に連結する連結部と、を有し、
前記下部構造体に対する前記上部構造体の連結高さを変更可能な天板昇降式什器において、
前記下部構造体は、それぞれ上下方向に延びて水平方向に間隔をあけて配置された一対の下部支持脚部と、
前記一対の下部支持脚部を互いに連結する補強部材と、を有し、
前記上部構造体は、それぞれ上下方向に延びて水平方向に間隔をあけて配置され前記天板部を支持する一対の上部支持脚部を有し、
前記連結部は、前記下部支持脚部における前記補強部材の近傍、かつ前記補強部材の上側および下側の両方で前記下部支持脚部と前記上部支持脚部とを連結していることを特徴とする天板昇降式什器。
【請求項２】
床面に載置される下部構造体と、
天板部を備えた上部構造体と、
前記下部構造体に前記上部構造体を着脱可能に連結する連結部と、を有し、
前記下部構造体に対する前記上部構造体の連結高さを変更可能な天板昇降式什器において、
前記下部構造体は、それぞれ上下方向に延びて水平方向に間隔をあけて配置された一対の下部支持脚部と、
前記一対の下部支持脚部を互いに連結する補強部材と、を有し、
前記上部構造体は、それぞれ上下方向に延びて水平方向に間隔をあけて配置され前記天板部を支持する一対の上部支持脚部を有し、
前記連結部は、前記下部支持脚部における前記補強部材の近傍で前記下部支持脚部と前記上部支持脚部とを連結し、
前記下部支持脚部は、第１孔部を有し、
前記上部支持脚部は、上下方向に間隔をあけて形成された複数の第２孔部を有し、
前記連結部は、互いに重なった前記第１孔部および前記第２孔部に挿通されて前記下部支持脚部と前記上部支持脚部とを連結可能な連結ピンを有し、
前記連結ピンは、第１連結部材と第２連結部材と、を有し、
前記第１連結部材は、前記第１孔部および前記第２孔部を挿通可能であり、めねじまたはおねじが形成された挿入部と、前記挿入部と接合され前記下部構造体および前記上部構造体の一方に当接される第１当接部と、を有し、
前記第２連結部材は、前記挿入部に螺合可能なねじ部と、前記ねじ部と接合され前記下部構造体および前記上部構造体の他方に当接される第２当接部と、を有し、
前記第１孔部および前記第２孔部に挿通された挿入部にねじ部が螺合され、前記第１当接部と前記第２当接部とが、前記下部支持脚部および前記上部支持脚部を挟持していることを特徴とする天板昇降式什器。
【請求項３】
床面に載置される下部構造体と、
天板部を備えた上部構造体と、
前記下部構造体に前記上部構造体を着脱可能に連結する連結部と、を有し、
前記下部構造体に対する前記上部構造体の連結高さを変更可能な天板昇降式什器において、
前記下部構造体は、それぞれ上下方向に延びて水平方向に間隔をあけて配置された一対の下部支持脚部を有し、
前記上部構造体は、それぞれ上下方向に延びて水平方向に間隔をあけて配置され前記天板部を支持する一対の上部支持脚部と、
前記一対の上部支持脚部を互いに連結する補強部材と、を有し、
前記連結部は、前記上部構造体を前記下部構造体に対して最上となる位置で連結する際には、前記上部支持脚部における前記補強部材の近傍、かつ前記補強部材の上側および下側の両方で前記下部支持脚部と前記上部支持脚部とを連結していることを特徴とする天板昇降式什器。
【請求項４】
床面に載置される下部構造体と、
天板部を備えた上部構造体と、
前記下部構造体に前記上部構造体を着脱可能に連結する連結部と、を有し、
前記下部構造体に対する前記上部構造体の連結高さを変更可能な天板昇降式什器において、
前記下部構造体は、それぞれ上下方向に延びて水平方向に間隔をあけて配置された一対の下部支持脚部を有し、
前記上部構造体は、それぞれ上下方向に延びて水平方向に間隔をあけて配置され前記天板部を支持する一対の上部支持脚部と、
前記一対の上部支持脚部を互いに連結する補強部材と、を有し、
前記連結部は、前記上部構造体を前記下部構造体に対して最上となる位置で連結する際には、前記上部支持脚部における前記補強部材の近傍で前記下部支持脚部と前記上部支持脚部とを連結し、
前記下部支持脚部は、第１孔部を有し、
前記上部支持脚部は、上下方向に間隔をあけて形成された複数の第２孔部を有し、
前記連結部は、互いに重なった前記第１孔部および前記第２孔部に挿通されて前記下部支持脚部と前記上部支持脚部とを連結可能な連結ピンを有し、
前記連結ピンは、第１連結部材と第２連結部材と、を有し、
前記第１連結部材は、前記第１孔部および前記第２孔部を挿通可能であり、めねじまたはおねじが形成された挿入部と、前記挿入部と接合され前記下部構造体および前記上部構造体の一方に当接される第１当接部と、を有し、
前記第２連結部材は、前記挿入部に螺合可能なねじ部と、前記ねじ部と接合され前記下部構造体および前記上部構造体の他方に当接される第２当接部と、を有し、
前記第１孔部および前記第２孔部に挿通された挿入部にねじ部が螺合され、前記第１当接部と前記第２当接部とが、前記下部支持脚部および前記上部支持脚部を挟持していることを特徴とする天板昇降式什器。
【請求項５】
前記第１孔部として上側に設けられた上側第１孔部と下側に設けられた下側第１孔部とを有し、
前記第２孔部は、前記上側第１孔部および前記下側第１孔部のそれぞれと連通可能に３つ以上設けられ、
前記第１連結部材は、前記挿入部として、前記上側第１孔部および前記第２孔部に挿通される上側挿入部と、前記下側第１孔部及び前記第２孔部に挿通される下側挿入部とを有し、前記第１当接部が前記上側挿入部と前記下側挿入部とを連結していることを特徴とする請求項２または４に記載の天板昇降式什器。
【請求項６】
挿入部にねじ部が螺合した際に、前記第１当接部と前記第２当接部との間隔を所定の間隔に保持する間隔保持部を有することを特徴とする請求項２、４および５のいずれか一項に記載の天板昇降式什器。
【発明の詳細な説明】
【技術分野】
【０００１】
本発明は、天板昇降式什器に関する。
【背景技術】
【０００２】
オフィスや教育施設、その他の公共施設等における執務空間内において使用されるデスクなどの什器として、使用者の体格や希望する作業姿勢（例えば、座位姿勢や立位姿勢）に合わせて天板の高さを変更できる天板昇降式什器が使用されている。
このような天板昇降式什器を用いることにより、使用者は、天板の作業面を所望の高さに配置することができ、執務を効率的に行うことができる。
【０００３】
天板昇降式什器における天板の高さを変更する手段として、例えば、電動昇降機構やガススプリングによる昇降機構が採用されることがある。また、天板昇降式什器を床面に載置される下部構造体に対して天板を有する上部構造体を連結する構造とし、下部構造体に対する上部構造体の連結高さを変更可能な天板昇降式什器も多く採用されている（例えば、特許文献１参照）。
【先行技術文献】
【特許文献】
【０００４】
【特許文献１】特許第５４０４３０２号公報
【発明の概要】
【発明が解決しようとする課題】
【０００５】
床面に載置される下部構造体に対して天板を有する上部構造体を連結する構造の天板昇降式什器では、天板の高さが高くなるように上部構造体を高い位置にして下部構造体に連結すると、天板がぐらつくなど天板の安定性が低下する虞がある。
【０００６】
そこで、本発明は、天板部（天板）の安定性を向上させることができる天板昇降式什器を提供することを目的とする。
【課題を解決するための手段】
【０００７】
上記目的を達成するため、本発明に係る天板昇降式什器は、床面に載置される下部構造体と、天板部を備えた上部構造体と、前記下部構造体に前記上部構造体を着脱可能に連結する連結部と、を有し、前記下部構造体に対する前記上部構造体の連結高さを変更可能な天板昇降式什器において、前記下部構造体は、それぞれ上下方向に延びて水平方向に間隔をあけて配置された一対の下部支持脚部と、前記一対の下部支持脚部を互いに連結する補強部材と、を有し、前記上部構造体は、それぞれ上下方向に延びて水平方向に間隔をあけて配置され前記天板部を支持する一対の上部支持脚部を有し、前記連結部は、前記下部支持脚部における前記補強部材の近傍、かつ前記補強部材の上側および下側の両方で前記下部支持脚部と前記上部支持脚部とを連結していることを特徴とする。
【０００８】
本発明では、下部構造体の一対の下部支持脚部が補強部材によって連結されているため、一対の下部支持脚部の相対変位が抑制されて下部構造体を強固な構造とすることができる。特に、下部構造体における一対の下部支持脚部の補強部材の近傍が強固な構造となる。
連結部が補強部材の近傍で下部支持脚部と上部支持脚部とを連結していることにより、上部構造体が下部構造体に安定した状態で支持されることになる。これにより、天板部の高さが高くなるように上部構造体を高い位置に配置した状態で連結部が下部支持脚部と上部支持脚部とを連結しても、下部構造体は、上部構造体を安定した状態に支持することができる。したがって、本発明に係る天板昇降式什器では、天板部の高さにかかわらず、天板部を安定した状態に支持することができる。
下部支持脚部における補強部材の近傍とは、下部支持脚部における補強部材が取り付く取り付け位置の近傍を示している。
また、本発明に係る天板昇降式什器では、前記連結部は、前記補強部材の上側および下側の両方で前記下部支持脚部と前記上部支持脚部とを連結している。
このような構成とすることにより、連結部は上部支持脚部と下部支持脚部とをより安定した状態に連結することができるため、天板部の安定性を向上させることができる。
【０００９】
また、本発明に係る天板昇降式什器は、床面に載置される下部構造体と、天板部を備えた上部構造体と、前記下部構造体に前記上部構造体を着脱可能に連結する連結部と、を有し、前記下部構造体に対する前記上部構造体の連結高さを変更可能な天板昇降式什器において、前記下部構造体は、それぞれ上下方向に延びて水平方向に間隔をあけて配置された一対の下部支持脚部を有し、前記上部構造体は、それぞれ上下方向に延びて水平方向に間隔をあけて配置され前記天板部を支持する一対の上部支持脚部と、前記一対の上部支持脚部を互いに連結する補強部材と、を有し、前記連結部は、前記上部構造体を前記下部構造体に対して最上となる位置で連結する際には、前記上部支持脚部における前記補強部材の近傍、かつ前記補強部材の上側および下側の両方で前記下部支持脚部と前記上部支持脚部とを連結していることを特徴とする。
【００１０】
本発明では、上部構造体の一対の上部支持脚部が補強部材によって連結されているため、一対の上部支持脚部の相対変位が抑制されて上部構造体を強固な構造とすることができる。特に、上部構造体における一対の上部支持脚部の補強部材の近傍が強固な構造となる。
上部構造体を下部構造体に対して最上となる位置で連結する際には、連結部が補強部材の近傍で下部支持脚部と上部支持脚部とを連結していることにより、上部構造体が下部構造体に安定した状態で支持されることになる。これにより、天板部の高さが高くなるように上部構造体を高い位置に配置した状態で連結部が下部支持脚部と上部支持脚部とを連結しても、上部構造体は、下部構造体に安定した状態で支持される。したがって、本発明に係る天板昇降式什器では、天板部の高さを高くした場合でも、天板部を安定した状態に支持することができる。
上部支持脚部における補強部材の近傍とは、上部支持脚部における補強部材が取り付く取り付け位置の近傍を示している。
【００１１】
また、本発明に係る天板昇降式什器では、前記連結部は、前記補強部材の上側および下側の両方で前記下部支持脚部と前記上部支持脚部とを連結している。
このような構成とすることにより、連結部は上部支持脚部と下部支持脚部とをより安定した状態に連結することができるため、天板部の安定性を向上させることができる。
【００１３】
また、本発明に係る天板昇降式什器は、床面に載置される下部構造体と、天板部を備えた上部構造体と、前記下部構造体に前記上部構造体を着脱可能に連結する連結部と、を有し、前記下部構造体に対する前記上部構造体の連結高さを変更可能な天板昇降式什器において、前記下部構造体は、それぞれ上下方向に延びて水平方向に間隔をあけて配置された一対の下部支持脚部と、前記一対の下部支持脚部を互いに連結する補強部材と、を有し、前記上部構造体は、それぞれ上下方向に延びて水平方向に間隔をあけて配置され前記天板部を支持する一対の上部支持脚部を有し、前記連結部は、前記下部支持脚部における前記補強部材の近傍で前記下部支持脚部と前記上部支持脚部とを連結し、前記下部支持脚部は、第１孔部を有し、前記上部支持脚部は、上下方向に間隔をあけて形成された複数の第２孔部を有し、前記連結部は、互いに重なった前記第１孔部および前記第２孔部に挿通されて前記下部支持脚部と前記上部支持脚部とを連結可能な連結ピンを有し、前記連結ピンは、第１連結部材と第２連結部材と、を有し、前記第１連結部材は、前記第１孔部および前記第２孔部を挿通可能であり、めねじまたはおねじが形成された挿入部と、前記挿入部と接合され前記下部構造体および前記上部構造体の一方に当接される第１当接部と、を有し、前記第２連結部材は、前記挿入部に螺合可能なねじ部と、前記ねじ部と接合され前記下部構造体および前記上部構造体の他方に当接される第２当接部と、を有し、前記第１孔部および前記第２孔部に挿通された挿入部にねじ部が螺合され、前記第１当接部と前記第２当接部とが、前記下部支持脚部および前記上部支持脚部を挟持していることを特徴とする
本発明では、下部構造体の一対の下部支持脚部が補強部材によって連結されているため、一対の下部支持脚部の相対変位が抑制されて下部構造体を強固な構造とすることができる。特に、下部構造体における一対の下部支持脚部の補強部材の近傍が強固な構造となる。
連結部が補強部材の近傍で下部支持脚部と上部支持脚部とを連結していることにより、上部構造体が下部構造体に安定した状態で支持されることになる。これにより、天板部の高さが高くなるように上部構造体を高い位置に配置した状態で連結部が下部支持脚部と上部支持脚部とを連結しても、下部構造体は、上部構造体を安定した状態に支持することができる。したがって、本発明に係る天板昇降式什器では、天板部の高さにかかわらず、天板部を安定した状態に支持することができる。
下部支持脚部における補強部材の近傍とは、下部支持脚部における補強部材が取り付く取り付け位置の近傍を示している。
また、本発明に係る天板昇降式什器では、前記下部支持脚部は、第１孔部を有し、前記上部支持脚部は、上下方向に間隔をあけて形成された複数の第２孔部を有し、前記連結部は、互いに重なった前記第１孔部および前記第２孔部に挿通されて前記下部支持脚部と前記上部支持脚部とを連結可能な連結ピンを有している。
このような構成とすることにより、上部構造体を所望の高さに配置し、第１孔部、および上部支持脚部の複数の第２孔部のうちの下部支持脚部の第１孔部と重なる第２孔部に挿通された連結ピンで下部支持脚部と上部支持脚部とを連結すればよいため、下部支持脚部と上部支持脚部とを容易にかつ強固に連結することができる。
また、下部支持脚部と上部支持脚部との連結構造が簡便な構造となるため、天板昇降式什器の製作コストを削減することができる。
また、本発明に係る天板昇降式什器では、前記連結ピンは、第１連結部材と第２連結部材と、を有し、前記第１連結部材は、前記第１孔部および前記第２孔部を挿通可能であり、めねじまたはおねじが形成された挿入部と、前記挿入部と接合され前記下部構造体および前記上部構造体の一方に当接される第１当接部と、を有し、前記第２連結部材は、前記挿入部に螺合可能なねじ部と、前記ねじ部と接合され前記下部構造体および前記上部構造体の他方に当接される第２当接部と、を有し、前記第１孔部および前記第２孔部に挿通された挿入部にねじ部が螺合され、前記第１当接部と前記第２当接部とが、前記下部支持脚部および前記上部支持脚部を挟持している。
このような構成とすることにより、下部支持脚部と上部支持脚部とを容易にかつ強固に連結することができる。また、連結ピンは、第１当接部と第２当接部とが下部支持脚部および上部支持脚部を挟持するため、下部支持脚部と上部支持脚部とを安定した状態に連結することができる。
【００１４】
また、本発明に係る天板昇降式什器は、床面に載置される下部構造体と、天板部を備えた上部構造体と、前記下部構造体に前記上部構造体を着脱可能に連結する連結部と、を有し、前記下部構造体に対する前記上部構造体の連結高さを変更可能な天板昇降式什器において、前記下部構造体は、それぞれ上下方向に延びて水平方向に間隔をあけて配置された一対の下部支持脚部を有し、前記上部構造体は、それぞれ上下方向に延びて水平方向に間隔をあけて配置され前記天板部を支持する一対の上部支持脚部と、前記一対の上部支持脚部を互いに連結する補強部材と、を有し、前記連結部は、前記上部構造体を前記下部構造体に対して最上となる位置で連結する際には、前記上部支持脚部における前記補強部材の近傍で前記下部支持脚部と前記上部支持脚部とを連結し、前記下部支持脚部は、第１孔部を有し、前記上部支持脚部は、上下方向に間隔をあけて形成された複数の第２孔部を有し、前記連結部は、互いに重なった前記第１孔部および前記第２孔部に挿通されて前記下部支持脚部と前記上部支持脚部とを連結可能な連結ピンを有し、前記連結ピンは、第１連結部材と第２連結部材と、を有し、前記第１連結部材は、前記第１孔部および前記第２孔部を挿通可能であり、めねじまたはおねじが形成された挿入部と、前記挿入部と接合され前記下部構造体および前記上部構造体の一方に当接される第１当接部と、を有し、前記第２連結部材は、前記挿入部に螺合可能なねじ部と、前記ねじ部と接合され前記下部構造体および前記上部構造体の他方に当接される第２当接部と、を有し、前記第１孔部および前記第２孔部に挿通された挿入部にねじ部が螺合され、前記第１当接部と前記第２当接部とが、前記下部支持脚部および前記上部支持脚部を挟持していることを特徴とする。
本発明では、上部構造体の一対の上部支持脚部が補強部材によって連結されているため、一対の上部支持脚部の相対変位が抑制されて上部構造体を強固な構造とすることができる。特に、上部構造体における一対の上部支持脚部の補強部材の近傍が強固な構造となる。
上部構造体を下部構造体に対して最上となる位置で連結する際には、連結部が補強部材の近傍で下部支持脚部と上部支持脚部とを連結していることにより、上部構造体が下部構造体に安定した状態で支持されることになる。これにより、天板部の高さが高くなるように上部構造体を高い位置に配置した状態で連結部が下部支持脚部と上部支持脚部とを連結しても、上部構造体は、下部構造体に安定した状態で支持される。したがって、本発明に係る天板昇降式什器では、天板部の高さを高くした場合でも、天板部を安定した状態に支持することができる。
上部支持脚部における補強部材の近傍とは、上部支持脚部における補強部材が取り付く取り付け位置の近傍を示している。
また、本発明に係る天板昇降式什器では、前記下部支持脚部は、第１孔部を有し、前記上部支持脚部は、上下方向に間隔をあけて形成された複数の第２孔部を有し、前記連結部は、互いに重なった前記第１孔部および前記第２孔部に挿通されて前記下部支持脚部と前記上部支持脚部とを連結可能な連結ピンを有している。
このような構成とすることにより、上部構造体を所望の高さに配置し、第１孔部、および上部支持脚部の複数の第２孔部のうちの下部支持脚部の第１孔部と重なる第２孔部に挿通された連結ピンで下部支持脚部と上部支持脚部とを連結すればよいため、下部支持脚部と上部支持脚部とを容易にかつ強固に連結することができる。
また、下部支持脚部と上部支持脚部との連結構造が簡便な構造となるため、天板昇降式什器の製作コストを削減することができる。
また、本発明に係る天板昇降式什器では、前記連結ピンは、第１連結部材と第２連結部材と、を有し、前記第１連結部材は、前記第１孔部および前記第２孔部を挿通可能であり、めねじまたはおねじが形成された挿入部と、前記挿入部と接合され前記下部構造体および前記上部構造体の一方に当接される第１当接部と、を有し、前記第２連結部材は、前記挿入部に螺合可能なねじ部と、前記ねじ部と接合され前記下部構造体および前記上部構造体の他方に当接される第２当接部と、を有し、前記第１孔部および前記第２孔部に挿通された挿入部にねじ部が螺合され、前記第１当接部と前記第２当接部とが、前記下部支持脚部および前記上部支持脚部を挟持している。
このような構成とすることにより、下部支持脚部と上部支持脚部とを容易にかつ強固に連結することができる。また、連結ピンは、第１当接部と第２当接部とが下部支持脚部および上部支持脚部を挟持するため、下部支持脚部と上部支持脚部とを安定した状態に連結することができる。
【００１５】
また、本発明に係る天板昇降式什器では、前記第１孔部として上側に設けられた上側第１孔部と下側に設けられた下側第１孔部とを有し、前記第２孔部は、前記上側第１孔部および前記下側第１孔部のそれぞれと連通可能に３つ以上設けられ、前記第１連結部材は、前記挿入部として、前記上側第１孔部および前記第２孔部に挿通される上側挿入部と、前記下側第１孔部及び前記第２孔部に挿通される下側挿入部とを有し、前記第１当接部が前記上側挿入部と前記下側挿入部とを連結していてもよい。
このような構成とすることにより、１つの連結ピンによって上側第１孔部および第２孔部に上側挿入部が挿通し、下側第１孔部および第２孔部に下側挿入部が挿通するため、これらの上側挿入部および下側挿入部のそれぞれに第２連結部材のねじ部を螺合させることで、下部支持脚部と上部支持脚部とを強固に連結することができる。
【００１６】
また、本発明に係る天板昇降式什器では、挿入部にねじ部が螺合した際に、前記第１当接部と前記第２当接部との間隔を所定の間隔に保持する間隔保持部を有していてもよい。
このような構成とすることにより、第１当接部と第２当接部が過度に下部支持脚部および上部支持脚部を挟持することを防止でき、下部支持脚部および上部支持脚部の変形を防止することができる。
【発明の効果】
【００１７】
本発明によれば、天板部（天板）の安定性を向上させることができる。
【図面の簡単な説明】
【００１８】
【図１】本発明の第１実施形態による天板昇降式什器の一例を示す斜視図である。
【図２】下部構造体の側面図である。
【図３】図１のＡ−Ａ線断面図である。
【図４】上部構造体の側面図である。
【図５】図４のＢ−Ｂ線断面図である。
【図６】連結ピンの斜視図である。
【図７】図１のＣ−Ｃ線断面図である。
【図８】本発明の第１実施形態による天板昇降式什器の側面図で天板部を高い位置に配置した様子を示す図ある。
【図９】本発明の第１実施形態による天板昇降式什器の側面図で天板部を低い位置に配置した様子を示す図ある。
【図１０】本発明の第２実施形態による天板昇降式什器の一例を示す斜視図である。
【図１１】下部構造体の側面図である。
【図１２】上部構造体の側面図である。
【図１３】本発明の第２実施形態による天板昇降式什器の側面図で天板部を高い位置に配置した様子を示す図ある。
【図１４】本発明の第２実施形態による天板昇降式什器の側面図で天板部を低い位置に配置した様子を示す図ある。
【図１５】本発明の第１実施形態による天板昇降式什器の変形例を示す斜視図である。
【図１６】他の連結ピンを示す斜視図である。
【発明を実施するための形態】
【００１９】
（第１実施形態）
以下、本発明の第１実施形態による天板昇降式什器について、図１乃至図９に基づいて説明する。
図１に示す第１実施形態による天板昇降式什器１Ａは、例えば学校などで使用されるデスクで、天板部３２の高さを変更可能に構成されている。
本実施形態による天板昇降式什器１Ａの天板部３２は、平面視形状が横長となる長方形状に形成されている。以下の説明では、天板部３２の平面視形状の長方形における短辺が延びる方向を前後方向とし、長辺が延びる方向を左右方向とする。
使用者は、主に天板昇降式什器１Ａに対して前後方向の一方側から対向した状態で、天板部３２で作業するように設定されている。この前後方向の一方側（天板昇降式什器１Ａに対する使用者側）を前側とし、その反対側を後側とする。
以下では、左右方向において、天板昇降式什器１Ａの左右方向の両端部に対して天板昇降式什器１の左右方向の中央部がある側を内側とし、天板昇降式什器１Ａの左右方向の中央部に対して左右方向の両端部がある側を外側と示す。
【００２０】
天板昇降式什器１Ａは、床面１１に設置される下部構造体２と、天板部３２を有し下部構造体２の上側に連結される上部構造体３と、下部構造体２と上部構造体３とを連結する連結ピン４と、を有している。
図１および図２に示すように、下部構造体２は、左右方向に間隔をあけて床面１１に載置される一対のベース部２１，２１と、一対のベース部２１，２１それぞれから上側に延びる一対の下部支持脚部２２，２２と、一対の下部支持脚部２２，２２の上端部２２ａの近傍を連結する上側補強部材（補強部材）２３と、一対の下部支持脚部２２，２２の下端部２２ｂの近傍を連結する下側補強部材２４と、を有している。
【００２１】
図１に示すように、一対のベース部２１，２１のうちの一方のベース部２１Ａは、天板昇降式什器１Ａの左右方向の一方側の端部近傍に配置され、他方のベース部２１Ｂは、天板昇降式什器１Ａの左右方向の他方側の端部近傍に配置されている。一対のベース部２１，２１は、互いに左右方向に対称となる形状に形成されている。
図１および図２に示すように、ベース部２１は、長尺の部材で、前後方向に延びる向きで床面１１に載置されている。本実施形態では、ベース部２１には金属製の角パイプが用いられている。また、本実施形態では、ベース部２１の前端部分および後端部分は、樹脂製のキャップ２５で覆われている。
【００２２】
一対の下部支持脚部２２，２２は、長尺の部材で、一方の下部支持脚部２２Ａが一方のベース部２１Ａの前後方向の中間部から上側に延び、他方の下部支持脚部２２Ｂが他方のベース部２１Ｂの前後方向の中間部から上側に延びている。一方の下部支持脚部２２Ａは、天板昇降式什器１Ａの左右方向の一方側の端部近傍に配置され、他方の下部支持脚部２２Ｂは、天板昇降式什器１Ａの左右方向の他方側の端部近傍に配置されている。
下部支持脚部２２の説明では、一対の下部支持脚部２２，２２が互いに近接する側が左右方向の内側に相当し、一対の下部支持脚部２２，２２が互いに離間する側を左右方向の外側に相当する。
一対の下部支持脚部２２，２２は、互いに左右方向に対称となる形状に形成されている。本実施形態では、下部支持脚部２２には、金属製の角パイプが用いられている。
【００２３】
図１乃至図３に示すように、下部支持脚部２２は、それぞれ平板状に形成され、前側に配置され板面が前後方向を向く第１前板部２２１と、後側に配置され板面が前後方向を向く第１後板部２２２と、第１前板部２２１の左右方向の内側の端部２２１ａ（図３参照）から第１後板部２２２の左右方向の内側の端部２２２ａ（図３参照）まで延びて板面が左右方向を向く第１内板部２２３と、第１前板部２２１の左右方向の外側の端部２２１ｂ（図３参照）から第１後板部２２２の左右方向の外側の端部２２２ｂ（図３参照）まで延びて板面が左右方向を向く第１外板部２２４と、を有している。
【００２４】
一対の下部支持脚部２２，２２それぞれの第１内板部２２３には、上側補強部材２３が接合されている。
図１に示すように、上側補強部材２３は、棒状の部材で、左右方向に延びる向きに配置されている。上側補強部材２３は、左右方向（長さ方向）の一方の端部２３ａが一方の下部支持脚部２２Ａの第１内板部２２３に接合され、左右方向の他方の端部２３ｂが他方の下部支持脚部２２Ｂの第１内板部２２３に接合されている。本実施形態では、上側補強部材２３は、金属製の丸パイプが用いられていて、下部支持脚部２２に溶接されている。上側補強部材２３は、下部支持脚部２２の上端部２２ａよりもやや下側に接合されている。
【００２５】
第１内板部２２３には、上側補強部材２３の上側に左右方向に貫通する第１内板部上側孔部２２３ａが形成され、上側補強部材２３の下側に左右方向に貫通する第１内板部下側孔部２２３ｂが形成されている。上側補強部材２３と第１内板部上側孔部２２３ａとの間隔と、上側補強部材２３と第１内板部下側孔部２２３ｂとの間隔とは、同じ寸法に設定されている。第１内板部上側孔部２２３ａおよび第１内板部下側孔部２２３ｂは、互いに同じ径に形成されている。
【００２６】
第１外板部２２４には、上側補強部材２３の上側に板面を左右方向に貫通する第１外板部上側孔部２２４ａ（第１孔部、上側第１孔部）が形成され、上側補強部材２３の下側に左右方向に貫通する第１外板部下側孔部２２４ｂ（第１孔部、下側第１孔部）が形成されている。上側補強部材２３と第１外板部上側孔部２２４ａとの間隔と、上側補強部材２３と第１外板部下側孔部２２４ｂとの間隔とは、同じ寸法に設定されている。第１外板部上側孔部２２４ａおよび第１外板部下側孔部２２４ｂは、互いに同じ径に形成されていて、第１内板部上側孔部２２３ａおよび第１内板部下側孔部２２３ｂよりも大径に形成されている。
第１外板部上側孔部２２４ａと第１内板部上側孔部２２３ａとは、それぞれの中心が同じ高さに配置されている。第１外板部下側孔部２２４ｂと第１内板部下側孔部２２３ｂとは、それぞれの中心が同じ高さに配置されている。
【００２７】
一対の下部支持脚部２２，２２それぞれの第１後板部２２２には、下側補強部材２４が接合されている。
下側補強部材２４は、Ｃ字形（コの字形）に屈曲した棒状の部材に形成されている。図１に示すように、下側補強部材２４は、一方の端部２４ａが一方の下部支持脚部２２Ａの第１後板部２２２に接合され、他方の端部２４ｂが他方の下部支持脚部２２Ｂの第１後板部２２２に接合されている。下側補強部材２４は、一対の下部支持脚部２２，２２それぞれの第１後板部２２２から後側に延びる一対の第１棒状部２４１，２４１と、一対の第１棒状部２４１，２４１の後側端部どうしを連結する第２棒状部２４２と、を有している。
【００２８】
本実施形態では、下側補強部材２４は、金属製の丸パイプで、一対の第１棒状部２４１，２４１と第２棒状部２４２とが一体に形成されている。下側補強部材２４は、両端部２４ａ，２４ｂが下部支持脚部２２に溶接されている。下側補強部材２４は、下部支持脚部２２の下端部２２ｂよりもやや上側に接合されている。
一対の第１棒状部２４１，２４１は、一対のベース部２１，２１の上方に配置されている。第２棒状部２４２は、一対のベース部２１，２１の後端部よりも前側に配置されている。
【００２９】
図１および図４に示すように、上部構造体３は、それぞれ下部支持脚部２２に連結される一対の上部支持脚部３１，３１と、一対の上部支持脚部３１，３１に支持された天板部３２と、天板部３２を補強する一対の天板補強部３３，３３と、天板部３２の下側に設けられた収納部３４と、を有している。
【００３０】
一対の上部支持脚部３１，３１は、それぞれ長尺に形成され、上下方向に延びる向きに配置されている。一対の上部支持脚部３１，３１のうちの一方の上部支持脚部３１Ａが一方の下部支持脚部２２Ａに着脱可能に構成され、他方の上部支持脚部３１Ｂが他方の下部支持脚部２２Ｂに着脱可能に構成されている。
一方の上部支持脚部３１Ａは、天板昇降式什器１Ａの左右方向の一方側の端部近傍に配置され、他方の上部支持脚部３１Ｂは、天板昇降式什器１Ａの左右方向の他方側の端部近傍に配置されている。
上部支持脚部３１の説明では、一対の上部支持脚部３１，３１が互いに近接する側が左右方向の内側に相当し、一対の上部支持脚部３１，３１が互いに離間する側を左右方向の外側に相当する。
一対の上部支持脚部３１，３１は、互いに左右方向に対称となる形状に形成されている。本実施形態では、上部支持脚部３１には、断面形状がＣ字形状（コの字形状）に形成され長さ方向全体にわたって溝部（空部）３１４が形成された金属製のチャンネル材が用いられている。
【００３１】
上部支持脚部３１は、それぞれ平板状に形成されて、前側に配置されて板面が前後方向を向く第２前板部３１１と、後側に配置されて板面が前後方向を向く第２後板部３１２と、第２前板部３１１の左右方向の外側の端部３１１ａ（図５参照）から第２後板部３１２の左右方向の外側の端部３１２ｂ（図５参照）まで延びて板面が左右方向を向く第２外板部３１３と、を有している。
【００３２】
上部支持脚部３１の溝部３１４は、第２前板部３１１、第２後板部３１２および第２外板部３１３に囲まれていて、左右方向の内側に開口している。溝部３１４は、下部支持脚部２２を挿入可能な形状に形成されている。
図１に示すように、溝部３１４に下部支持脚部２２が挿入されると、下部支持脚部２２の第１前板部２２１の前側に上部支持脚部３１の第２前板部３１１が配置され、下部支持脚部２２の第１後板部２２２の後側に上部支持脚部３１の第２後板部３１２が配置され、下部支持脚部２２の外板部２２４の左右方向の外側に上部支持脚部３１の第２外板部３１３が配置される。
下部支持脚部２２と上部支持脚部３１とは、上部支持脚部３１の溝部３１４に下部支持脚部２２が挿入された状態で連結される。
【００３３】
図１、図４および図５に示すように、第２外板部３１３には、板面を左右方向に貫通する第２外板部孔部（第２孔部）３１３ａが上下方向に間隔をあけて複数配置されている。
第２外板部孔部３１３ａは、下部支持脚部２２の第１外板部上側孔部２２４ａおよび第１外板部下側孔部２２４ｂと同じ径に形成されている。上下方向に隣り合う第２外板部孔部３１３ａの中心間の距離は等しく、下部支持脚部２２における第１外板部上側孔部２２４ａの中心と第１外板部下側孔部２２４ｂの中心との距離の１／３に設定されている。このため、上部支持脚部３１の溝部３１４に下部支持脚部２２が挿入された状態とし、下部支持脚部２２に対して上部支持脚部３１を所望の高さにして第１外板部上側孔部２２４ａに第２外板部孔部３１３ａを重ねると、この第２外板部孔部３１３ａよりも３つ下側にある第２外板部孔部３１３ａが第１外板部下側孔部２２４ｂと重なる。
【００３４】
図４に示すように、天板部３２は、作業面を有する天板本体３２１と、一対の上部支持脚部３１，３１それぞれの上端部に接続されて天板本体３２１が固定される一対の天板本体固定部３２２，３２２と、を有している。
天板本体３２１は、板面が長方形状となる平板状に形成され、板面が上下方向を向く向きに配置されている。天板本体３２１の上面が作業面として使用者に使用される。天板本体３２１は、例えば、木製や樹脂製の板材で形成されている。
【００３５】
一対の天板本体固定部３２２，３２２は、それぞれ長尺に形成され、前後方向に延びる向きに配置されている。一対の天板本体固定部３２２，３２２のうちの一方の天板本体固定部３２２Ａは、前後方向（長さ方向）の中間部が一方の上部支持脚部３１Ａの上端部に接合され、他方の上部支持脚部３１Ｂは、前後方向の中間部が他方の上部支持脚部３１Ｂの上端部に接合されている。
一方の天板本体固定部３２２Ａは、天板昇降式什器１Ａの左右方向の一方側の端部近傍に配置され、他方の天板本体固定部３２２Ｂは、天板昇降式什器１Ａの左右方向の他方側の端部近傍に配置されている。
【００３６】
一対の天板本体固定部３２２，３２２は、互いに左右方向に対称となる形状に形成されている。本実施形態では、天板本体固定部３２２は、金属で上端面が平坦面となるように形成されている。
一対の天板本体固定部３２２，３２２は、それぞれの上部に天板本体３２１が載置されて、ネジなどの固定具で天板本体３２１が固定されている。天板本体固定部３２２，３２２の上端面は、天板本体３２１の下面と当接している。
【００３７】
一対の天板補強部３３，３３は、それぞれ略Ｌ字形に屈曲した棒状に形成され、一方の端部３３ａが上部支持脚部３１と接合され、他方の端部３３ｂが天板本体固定部３２２と接合されている。一対の天板補強部３３，３３のうちの一方の天板補強部３３Ａは、前後方向（長さ方向）の中間部が一方の上部支持脚部３１Ａの上端部に接合され、他方の天板補強部３３Ｂは、前後方向の中間部が他方の上部支持脚部３１Ｂの上端部に接合されている。
一方の天板補強部３３Ａは、天板昇降式什器１Ａの左右方向の一方側の端部近傍に配置され、他方の天板補強部３３Ｂは、天板昇降式什器１Ａの左右方向の他方側の端部近傍に配置されている。
【００３８】
一対の天板補強部３３，３３は、互いに左右方向に対称となる形状に形成されている。
天板補強部３３は、上部支持脚部３１の第２前板部３１１から前側に延びる第１棒状部３３１と、第１棒状部３３１の前側の端部から上側に向かって漸次前側に向かう斜め方向に延び天板本体固定部３２２の下面と接合される第２棒状部３３２と、を有している。本実施形態では、天板補強部３３に金属製の丸パイプが用いられていて、第１棒状部３３１と第２棒状部３３２とは一体に形成されている。天板補強部３３は、上部支持脚部３１および天板本体固定部３２２に溶接されている。
天板補強部３３は、天板本体固定部３２２および天板本体３２１の上部支持脚部３１よりも前側が天板本体に作用する上側からの負荷によって下方に傾かないように設けられている。
【００３９】
図１および図４に示すように、収納部３４は、天板本体３２１の下側で、一対の上部支持脚部３１，３１の間に配置されている。収納部３４は、天板本体３２１の下側に間隔をあけて配置される底板部３４１と、底板部３４１の後縁部から上側に延びる後板部３４２と、底板部３４１の左右方向の両縁部それぞれから上側に延びる一対の側板部３４３，３４３と、を有している。後板部３４２の左右方向の両縁部と一対の側板部３４３，３４３それぞれの後縁部とは接続されている。本実施形態では、収納部３４は鋼板などで形成されている。
後板部３４２および一対の側板部３４３，３４３それぞれの上端部は、天板本体３２１の下面に固定されている。収納部３４の底板部３４１、後板部３４２、側板部３４３，３４３、および天板本体３２１に囲まれた前方に開口する収納空間３４４は、物品を収容可能に構成されている。
【００４０】
図１および図６に示すように、連結ピン４は、第１連結部材４１と、第１連結部材と接合される２つの第２連結部材４２と、を有している。
図６に示すように、第１連結部材４１は、平板状の第１当接部４１１と、第１当接部４１１の一方の面から突出し内周面にネジ山を有する筒状に形成された２つの挿入部４１２と、を有している。
【００４１】
第１当接部４１１は、板面が長円状となる長尺に形成されている。第１当接部４１１の長手方向の両端部近傍それぞれに挿入部４１２が設けられている。２つの挿入部４１２の中心の間隔は、第１外板部上側孔部２２４ａの中心と第１外板部下側孔部２２４ｂの中心との間隔（図２参照）と同じ寸法に設定されている。第１当接部４１１の短手方向の寸法は、下部支持脚部２２の前後方向の寸法（第１外板部２２４の前後方向の寸法、図２参照）よりもやや小さい寸法に設定されている。
【００４２】
挿入部４１２は、第１外板部上側孔部２２４ａ、第１外板部下側孔部２２４ｂおよび複数の第２外板部孔部３１３ａ（図２乃至図５参照）に挿通可能で、第１内板部上側孔部２２３ａおよび第１内板部下側孔部２２３ｂには挿通不可能な形状に形成されている。
挿入部４１２は、軸線方向の一方側の端部が第１当接部４１１の一方の面に接合されている。
２つの挿入部４１２のうち、連結ピン４が下部支持脚部２２と上部支持脚部３１とを連結する際に、上側となり第１外板部上側孔部２２４ａに挿入される方が本発明の上側挿入部に相当し、下側となり第１外板部下側孔部２２４ｂに挿入される方が本発明の下側挿入部に相当している。
【００４３】
図６に示すように、２つの第２連結部材４２は、挿入部４１２の内部に螺合可能な同じネジで、外周部にネジ山が形成されたねじ部４２１と、ねじ部４２１の一方に接続された頭部４２２（以下、第２当接部４２２とする）と、を有している。
ねじ部４２１は、第１内板部上側孔部２２３ａおよび第１内板部下側孔部２２３ｂに挿通可能な形状に形成されている。第２当接部４２２の外径は、第１内板部上側孔部２２３ａおよび第１内板部下側孔部２２３ｂの内径よりも大きく、第１内板部上側孔部２２３ａおよび第１内板部下側孔部２２３ｂを挿通不可能な寸法に設定されている。
【００４４】
次に、下部構造体２と上部構造体３との連結構造について説明する。
図１に示すように、下部構造体２と上部構造体３とは、上部構造体３の上部支持脚部３１の溝部３１４に下部構造体２の下部支持脚部２２が配置された状態で連結されている。
図７に示すように、下部支持脚部２２の第１前板部２２１の前側に上部支持脚部３１の第２前板部３１１が配置され、下部支持脚部２２の第１後板部２２２の後側に上部支持脚部３１の第２後板部３１２が配置され、下部支持脚部２２の第１外板部２２４の外側に上部支持脚部３１の第２外板部３１３が配置されている。
下部支持脚部２２の第１外板部２２４に形成された第１外板部上側孔部２２４ａおよび第１外板部下側孔部２２４ｂそれぞれは、上部支持脚部３１の第２外板部３１３に形成された第２外板部孔部３１３ａとは、左右方向に重なるように配置されている。
【００４５】
第１連結部材４１の挿入部４１２は、左右方向に重なった第１外板部上側孔部２２４ａと第２外板部孔部３１３ａ、および第１外板部下側孔部２２４ｂと第２外板部孔部３１３ａを介して、第１連結部材４１の挿入部４１２が下部支持脚部２２の内部に挿入されている。
下部支持脚部２２の内部に挿入された挿入部４１２の先端部４１２ａは、下部支持脚部２２の第１内板部２２３に第１外板部２２４側から当接している。第１連結部材４１の第１当接部４１１は、上部支持脚部３１の第２外板部３１３と面接触している。
第２連結部材４２のねじ部４２１は、下部支持脚部２２の第１内板部２２３に形成された第１内板部上側孔部２２３ａおよび第１内板部下側孔部２２３ｂを介して下部支持脚部２２の内部に挿入され、下部支持脚部２２の内部に挿入された挿入部４１２と螺合している。第２連結部材４２の第２当接部４２２は、第１内板部２２３と当接している。
連結ピン４は、第１連結部材４１の挿入部４１２と第２連結部材４２のねじ部４２１とが螺合することで第１連結部材４１と第２連結部材４２とが連結され、第１連結部材４１の第１当接部４１１と第２連結部材４２の第２当接部４２２とが下部支持脚部２２および上部支持脚部３１を左右方向から挟持して連結している。
【００４６】
挿入部４１２は、先端部４１２ａが下部支持脚部２２の第１内板部２２３に第１外板部２２４側から当接していることにより、第１内板部２２３と第１外板部２２４との間隔を保持する間隔保持部の機能を有している。このため、第１連結部材４１と第２連結部材４２とが強く締め付けられても、第１内板部２２３が挿入部４１２側（第１外板部２２４側）に変形することが防止されている。
【００４７】
上述しているが、上部支持脚部３１には、第２外板部孔部３１３ａが上下方向に複数形成されている。このため、下部構造体２に対する上部構造体３の高さを変更しても、下部支持脚部２２の第１外板部上側孔部２２４ａおよび第１外板部下側孔部２２４ｂは、上部支持脚部３１の複数の第２外板部孔部３１３ａのうちのいずれか２つの第２外板部孔部３１３ａと左右方向に重なる位置に配置されることになる。
なお、第１外板部上側孔部２２４ａと重なる第２外板部孔部３１３ａと、第１外板部下側孔部２２４ｂと重なる第２外板部孔部３１３ａとは、上下方向に隣接しておらず、間に２つの第２外板部孔部３１３ａを挟んでいる。
【００４８】
図８に示すように、天板本体３２１の高さを高くする場合は、上部構造体３を下部構造体２に対して高い位置で連結する。
上部構造体３の複数の第２外板部孔部３１３ａのうちの下部側の２つの第２外板部孔部３１３ａ，３１３ａを下部構造体２の第１外板部上側孔部２２４ａおよび第１外板部下側孔部２２４ｂに重ねる。重なった第２外板部孔部３１３ａと第１外板部上側孔部２２４ａ、および重なった第２外板部孔部３１３ａと第１外板部下側孔部２２４ｂに連結ピン４の第１連結部材４１の挿入部４１２（図７参照）を挿入する。そして、下部構造体２の第１内板部上側孔部２２３ａおよび第１内板部下側孔部２２３ｂに第２連結部材４２のねじ部４２１（図７参照）を挿入し、挿入されたねじ部４２１を挿入部４１２に螺合させて下部構造体２（下部支持脚部２２）と上部構造体３（上部支持脚部３１）とを連結する。
【００４９】
また、図９に示すように、天板本体３２１の高さを低くする場合は、上部構造体３を下部構造体２に対して低い位置で連結する。
上部構造体３の複数の第２外板部孔部３１３ａのうちの上部側の２つの第２外板部孔部３１３ａ，３１３ａを下部構造体２の第１外板部上側孔部２２４ａおよび第１外板部下側孔部２２４ｂに重ねる。そして、上述した天板本体３２１の高さを高くする場合と同様に連結ピン４で下部構造体２（下部支持脚部２２）と上部構造体３（上部支持脚部３１）とを連結する。
このようにして、使用者の体格や用途に合わせて天板本体３２１（天板部３２）の高さを変更することができる。
【００５０】
次に、上述した第１実施形態による天板昇降式什器１Ａの作用・効果について図面を用いて説明する。
第１実施形態による天板昇降式什器１Ａでは、下部構造体２の一対の下部支持脚部２２，２２が上側補強部材２３によって連結されているため、一対の下部支持脚部２２，２２の相対変位が抑制されて下部構造体２を強固な構造とすることができる。特に、下部構造体２における一対の下部支持脚部２２，２２の上側補強部材２３の近傍が強固な構造となる。
連結ピン４は、下部支持脚部２２における上側補強部材２３の近傍において下部支持脚部２２と上部支持脚部３１とを連結していることにより、下部構造体２に安定した状態で支持されることになる。これにより、天板部３２の高さが高くなるように上部構造体３を高い位置に配置した状態で下部構造体２に連結しても、下部構造体２は、上部構造体３を安定した状態に支持することができる。したがって、本実施形態による天板昇降式什器１Ａでは、天板部３２の安定性を向上させることができる。
【００５１】
また、本実施形態による天板昇降式什器１Ａでは、連結ピン４が下部支持脚部２２における上側補強部材２３の上側および下側の両方おいて下部支持脚部２２と上部支持脚部３１とを連結している。これにより、一対の上部支持脚部３１，３１が下部構造体２により安定した状態で支持されることになる。これにより、本実施形態による天板昇降式什器１Ａでは、天板部３２の安定性をより向上させることができる。
【００５２】
また、本実施形態による天板昇降式什器１Ａでは、上部支持脚部３１の溝部３１４に下部支持脚部２２が挿通された状態で連結ピン４が下部支持脚部２２と上部支持脚部３１とを連結している。これにより、上部支持脚部３１と下部支持脚部２２とが確実に連結されるとともに、上部支持脚部３１と下部支持脚部２２との位置決めを容易に行うことができる。また、天板部３２の高さを調整する際に、溝部３１４に下部支持脚部２２が挿通された状態で上下方向にスライドさせればよいため、下部支持脚部２２と上部支持脚部３１とが離間することを防止できる。
【００５３】
また、本実施形態による天板昇降式什器１では、下部構造体２に対する上部構造体３の高さを調整し、下部支持脚部２２に形成された第１外板部上側孔部２２４ａおよび第１外板部下側孔部２２４ｂに、上部支持脚部３１に形成された複数の第２外板部孔部３１３ａのうちの２つの第２外板部孔部３１３ａを重ねて、連結ピン４を挿通させて下部支持脚部２２と上部支持脚部３１とを連結させている。このような構成であることにより、本実施形態による天板昇降式什器１Ａは、下部支持脚部２２と上部支持脚部３１とを容易にかつ強固に連結することができる。
また、下部支持脚部２２と上部支持脚部３１との連結構造が簡便な構造となるため、天板昇降式什器１Ａの製作コストを削減することができる。
【００５４】
また、本実施形態では、連結ピン４は、第１連結部材４１の挿入部４１２と第２連結部材４２のねじ部４２１とが螺合し、第１連結部材４１の第１当接部４１１と第２連結部材４２の第２当接部４２２とで下部支持脚部２２および上部支持脚部３１を挟持する構成であるため、下部支持脚部２２と上部支持脚部３１とを容易にかつ強固に連結することができる。
【００５５】
また、本実施形態による天板昇降式什器１Ａでは、挿入部４１２は、先端部４１２ａが下部支持脚部２２の第１内板部２２３に第１外板部２２４側から当接していることにより、第１内板部２２３と第１外板部２２４との間隔を保持する間隔保持部の機能を有している。このため、第１連結部材４１と第２連結部材４２とが強く締め付けられても、第１内板部２２３が挿入部４１２側（第１外板部２２４側）に変形することを防止することができる。
【００５６】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図１０および図１１に示すように、第２実施形態による天板昇降式什器１Ｂでは、下部構造体２Ｂが図１に示す第１実施形態の下部構造体２が有する上側補強部材２３および下側補強部材２４を有しておらず、下側補強部材２４Ｂを有している。図１０および図１２に示すように、第２実施形態による天板昇降式什器１Ｂでは、上部構造体３Ｂが一対の上部支持脚部３１，３１の下端部３１ａの近傍を連結する補強部材３５を有している。
【００５７】
下側補強部材２４Ｂは、棒状の部材で、左右方向に延びる向きに配置されている。下側補強部材２４Ｂは、左右方向（長さ方向）の一方の端部２４ａが一方のベース部２１Ａに接合され、左右方向の他方の端部２４ｂが他方のベース部２１Ｂに接合されている。本実施形態では、下側補強部材２４Ｂは、金属製の角パイプが用いられていて、一対のベース部２１に溶接されている。下側補強部材２４Ｂは一対のベース部２１と略同じ高さ寸法に形成されていて、上面が一対のベース部２１それぞれの上面と略面一に配置されている。
【００５８】
補強部材３５は、Ｃ字形（コの字形）に屈曲した棒状の部材に形成されている。図１０に示すように、補強部材３５は、一方の端部３５ａが一方の上部支持脚部３１Ａの第２後板部３１２に接合され、他方の端部３５ｂが他方の上部支持脚部３１Ｂの第２後板部３１２に接合されている。補強部材３５は、一対の上部支持脚部３１，３１それぞれの第２後板部３１２から後側に延びる一対の第１棒状部３５１，３５１と、一対の第１棒状部３５１，３５１の後側端部どうしを連結する第２棒状部３５２と、を有している。
【００５９】
本実施形態では、補強部材３５は、金属製の丸パイプで、一対の第１棒状部３５１，３５１と第２棒状部３５２とが一体に形成されている。補強部材３５は、両端部３５ａ，３５ｂが上部支持脚部３１に溶接されている。補強部材３５は、上部支持脚部３１の下端部３１ａよりもやや上側に接合されている。
一対の第１棒状部３５１，３５１は、一対のベース部２１，２１の上方に配置されている。第２棒状部３５２は、一対のベース部２１，２１の後端部よりも前側に配置されている。
【００６０】
このような下部構造体２Ｂと上部構造体３Ｂとは、第１実施形態と同様に連結ピン４で連結されている。
天板本体３２１の高さを高くする場合は、図１３に示すように、上部構造体３Ｂを下部構造体２Ｂに対して高い位置で連結する。この場合、連結ピン４は、補強部材３５の近傍で下部支持脚部２２と上部支持脚部３１とを連結している。
なお、本実施形態では、上部構造体３Ｂを下部構造体２Ｂに対して最上となる位置で連結する場合には、図１３に示すように、連結ピン４は、補強部材３５と同じ高さにおいて下部支持脚部２２と上部支持脚部３１とを連結している。
【００６１】
天板本体３２１の高さを低くする場合は、図１４に示すように、上部構造体３Ｂを下部構造体２Ｂに対して低い位置で連結する。
第２実施形態においても、使用者の体格や用途に合わせて天板本体３２１（天板部３２）の高さを変更することができる。
【００６２】
第２実施形態による天板昇降式什器１Ｂでは、上部構造体３Ｂの一対の上部支持脚部３１，３１が補強部材３５によって連結されているため、一対の上部支持脚部３１，３１の相対変位が抑制されて上部構造体３Ｂを強固な構造とすることができる。特に、上部構造体３Ｂにおける一対の上部支持脚部３１，３１の補強部材３５の近傍が強固な構造となる。
上部構造体３Ｂを下部構造体２Ｂに対して最上となる位置で連結する際には、連結ピン４が補強部材３５の近傍で下部支持脚部２２と上部支持脚部３１とを連結していることにより、上部構造体３Ｂが下部構造体２Ｂに安定した状態で支持されることになる。これにより、天板部３２の高さが高くなるように上部構造体３Ｂを高い位置に配置した状態で連結ピン４が下部支持脚部２２と上部支持脚部３１とを連結しても、上部構造体３Ｂは、下部構造体２Ｂに安定した状態で支持される。したがって、第２実施形態による天板昇降式什器１Ｂでは、天板部３２の高さを高くした場合でも、天板部３２を安定した状態に支持することができ、天板部３２の安定性を向上させることができる。
【００６３】
以上、本発明による天板昇降式什器の実施形態について説明したが、本発明は上記の実施形態に限定されるものではなく、その趣旨を逸脱しない範囲で適宜変更可能である。
例えば、上記の実施形態では、天板昇降式什器１Ａ，１Ｂは、デスクであるが、例えば物品を載置する台などのデスク以外の什器であってもよく、一対の下部支持脚部２２，２２が離間する方向は前後方向など適宜設定されてよい。
また、上記の第１実施形態では、上側補強部材２３は、左右方向に延びる棒状に形成されているが、一対の下部支持脚部２２，２２を連結する部材であれば、上記以外であってもよい。例えば、図１５に示す天板昇降式什器１Ｃの上側補強部材２３Ｃのように、Ｃ字形（コの字形）に屈曲した棒状に形成されていてもよい。また、棒状の上側補強部材２３に代わって一対の下部支持脚部２２，２２を連結する板状の補強部材が設けられていてもよい。
【００６４】
また、上記の実施形態による天板昇降式什器１Ａ，１Ｂでは、上部支持脚部３１に形成された溝部３１４に下部支持脚部２２が挿通されるように構成されている。これに対し、下部支持脚部２２に上下方向に延びる溝部３１４が形成され、この溝部３１４に上部支持脚部３１が挿入されるように構成されていてもよい。
また、下部支持脚部２２は、上記の実施形態のように筒状に形成されていて、上側から内部に上部支持脚部３１が挿入された状態で上部支持脚部３１と連結されるように構成されていてもよい。
【００６５】
また、上部支持脚部３１の溝部３１４が開口する方向は、左右方向の内側以外に左右方向の外側や前側、後側となっていてもよい。なお、上部支持脚部３１における溝部３１４の開口部分に第１実施形態のような上側補強部材２３が配置される場合は、上側補強部材２３が下部支持脚部２２に取り付けられている取付け位置に合わせて上部支持脚部３１の溝部３１４が開口する方向が設定されてもよい。例えば、下部支持脚部２２の第１後板部２２２に上側補強部材２３が取り付けられている場合は、上部支持脚部３１の溝部が後側に開口していてもよい。
【００６６】
また、上記の第２実施形態では、補強部材３５は、Ｃ字形（コの字形）に屈曲した棒状に形成されているが、左右方向に直線状に延びる棒状や板状に形成されていてもよい。また、一対の上部支持脚部３１，３１に対して補強部材３５が連結される位置は、第２後板部３１２以外であってもよい。一対の上部支持脚部３１，３１が筒状に形成されている場合は、一対の上部支持脚部３１，３１が互いに対向する部分に補強部材が連結されていてもよい。
【００６７】
また、上記の第２実施形態では、上部構造体３Ｂを下部構造体２Ｂに対して最上となる位置で連結する場合には、連結ピン４は、補強部材３５と同じ高さにおいて下部支持脚部２２と上部支持脚部３１とを連結しているが、連結ピン４は、補強部材３５の近傍において下部支持脚部２２と上部支持脚部３１とを連結していればよい。
例えば、上部構造体３Ｂを下部構造体２Ｂに対して最上となる位置で連結する場合には、補強部材３５は、図１３に示す連結ピン４の上端部４ａよりも連結ピン４の上下方向の長さ寸法ｌの分だけ高い位置から、連結ピン４の下端部４ｂよりも連結ピン４の上下方向の長さ寸法ｌの分低い位置の高さ範囲ｈにおいて下部支持脚部２２と上部支持脚部３１とを連結していることが好ましい。なお、上部構造体３Ｂを下部構造体２Ｂに対して上部側で連結する場合に、連結ピン４が上記の高さ範囲ｈにおいて下部支持脚部２２と上部支持脚部３１とを連結していることが好ましい。なお、連結ピン４の上下方向の長さ寸法ｌに代わって、連結ピン４の２つの挿入部４１２，４１２間の寸法を基準としてもよい。
【００６８】
上記の実施形態では、連結ピン４は、下部支持脚部２２における上側補強部材２３の上側および下側の両方において下部支持脚部２２と上部支持脚部３１とを連結している。これに対し、下部支持脚部２２と上部支持脚部３１とを連結する連結部は、下部支持脚部２２における上側補強部材２３の上側および下側の片方や、上側補強部材２３の高さにおいて下部支持脚部２２と上部支持脚部３１とを連結してもよい。
【００６９】
また、上記の実施形態による天板昇降式什器１では、下部支持脚部２２と上部支持脚部３１とはそれぞれに形成された孔部に挿通された連結ピン４によって連結される構成であるが、下部支持脚部２２と上部支持脚部３１とが連結される構造は上記の連結ピン４を用いた構造以外であってもよい。例えば、下部支持脚部２２と上部支持脚部３１とが互いに嵌合することで連結する構造であってもよい。
また、上記の実施形態による連結ピン４は、第１連結部材４１の第１当接部４１１に対して２つの挿入部４１２が取り付けられ、それぞれの挿入部４１２に第２連結部材４２のねじ部４２１が螺合するように構成されているが、第１連結部材４１の第１当接部４１１に対して、１つまたは３つ以上の挿入部４１２が取り付けられていてもよい。
【００７０】
例えば、図１６に示すような連結ピン４Ｃでは、第１連結部材４１Ｃは、第１当接部４１１に１つの挿入部４１２Ｃが取り付けられている。この場合、下部支持脚部２２には上部支持脚部３１との連結用の第１孔部が１つだけ形成されていて、この第１孔部と上部支持脚部３１の第２外板部孔部３１３ａに挿入部４１２Ｃが挿通されて挿入部４１２Ｃに第２連結部材４２Ｃのねじ部４２１Ｃが螺合するように構成されている。
また、第１連結部材４１Ｃには、挿入部４１２Ｃの上下それぞれに位置決め用凸部４３Ｃが形成されている。下部支持脚部２２には第１孔部の上下それぞれに位置決め用凸部４３が挿入可能な位置決め用孔部が形成されている。２つの位置決め用孔部は、下部支持脚部２２の第１孔部と上部支持脚部３１の第２外板部孔部３１３ａが重なると、この第２外板部孔部３１３ａよりも上側の第２外板部孔部３１３ａおよび下側の第２外板部孔部３１３ａと重なるように設定されている。重なった下部支持脚部２２の第１孔部および上部支持脚部３１の第２外板部孔部３１３ａに挿入部を挿通させるとともに、位置決め用孔部および上部支持脚部３１の第２外板部孔部３１３ａに位置決め用凸部４３Ｃ，４３Ｃを挿入することで、下部支持脚部２２、上部支持脚部３１および連結ピン４Ｃの位置決めを容易に行うことができる。
【００７１】
また、上記の実施形態による天板昇降式什器１Ａ，１Ｂでは、挿入部４１２は、先端部４１２ａが下部支持脚部２２の第１内板部２２３に第１外板部２２４側から当接していることにより、第１内板部２２３と第１外板部２２４との間隔を保持する間隔保持部の機能を有する構成であるが、このような構成でなくてもよい。
【符号の説明】
【００７２】
１Ａ，１Ｂ  天板昇降式什器
２，２Ｂ  下部構造体
３，３Ｂ  上部構造体
４，４Ｃ  連結ピン（連結部）
１１  床面
２２  下部支持脚部
２３，２３Ｃ  上側補強部材（補強部材）
３１  上部支持脚部
３２  天板部
３５  補強部材
４１  第１連結部材
４２  第２連結部材
２２４ａ  第１外板部上側孔部（第１孔部、上側第１孔部）
２２４ｂ  第１外板部下側孔部（第１孔部、下側第１孔部）
３１３ａ  第２外板部孔部（第２孔部）
３１４  溝部（空部）
４１１  第１当接部
４１２  挿入部（間隔保持部）
４２１  ねじ部
４２２  第２当接部
【図１】
0006989344.tif 000002
【図２】
0006989344.tif 000003
【図３】
0006989344.tif 000004
【図４】
0006989344.tif 000005
【図５】
0006989344.tif 000006
【図６】
0006989344.tif 000007
【図７】
0006989344.tif 000008
【図８】
0006989344.tif 000009
【図９】
0006989344.tif 000010
【図１０】
0006989344.tif 000011
【図１１】
0006989344.tif 000012
【図１２】
0006989344.tif 000013
【図１３】
0006989344.tif 000014
【図１４】
0006989344.tif 000015
【図１５】
0006989344.tif 000016
【図１６】
0006989344.tif 000017